(57)【要約】【課題】テーブル板を支持する脚が折畳み可能に形成されている折畳みテーブルにおいて、折畳まれた脚が不用意にテーブル板から離れることがないよう、しっかりと確実に折畳み姿勢を保持できるようにする。【解決手段】  テーブル板１を支持する脚２を、折畳み可能に形成する。折畳まれた脚２が、テーブル板１の下側から離れるのを防止するための永久磁石部材３を備える。この永久磁石部材３で脚２をテーブル板１の下側に吸着可能に形成する。【選択図】  図１
0003221801.tif 000002
【実用新案登録請求の範囲】
【請求項１】
テーブル板を支持する脚が、折畳み可能に形成されている折畳みテーブルであって、折畳まれた脚がテーブル板の下側から離れるのを防止するための永久磁石部材を備え、この永久磁石部材で脚がテーブル板の下側に吸着可能に形成されていることを特徴とする折畳みテーブル。
【請求項２】
請求項1記載の折畳みテーブルであって、脚が、平行一対状の縦棒と、この縦棒の下端を連結する接地用の横棒とで形成され、テーブル板の下面に、上記の脚が枢着される棒状部が平行一対状に設けられ、この棒状部と脚の枢着箇所から離れた棒状部の位置に永久磁石部材が設けられ、脚が折畳まれたときに、この永久磁石部材と対応する脚の位置に磁性体片が設けられていることを特徴とする折畳みテーブル。
【請求項３】
請求項２記載の折畳みテーブルであって、棒状部と脚の枢着箇所から離れた棒状部の位置に永久磁石部材が設けられ、脚が折畳まれたときに、この永久磁石部材と対応する脚の位置に磁性体片が設けられているのに代え、棒状部と脚の枢着箇所から離れた棒状部の位置に磁性体片が設けられ、脚が折畳まれたときに、この磁性体片と対応する脚の位置に永久磁石部材が設けられていることを特徴とする折畳みテーブル。
【考案の詳細な説明】
【技術分野】
【０００１】
本考案は、テーブルに関し、更に詳しくは脚を折畳むことで、平坦化、コンパクト化でき、運搬や保管のスペースを小さくできる折畳みテーブルに関するものである。
【背景技術】
【０００２】
従来、この種のテーブルとしては、例えば特許文献１に記載されているものがある。
この従来品は、テーブル板と脚が筋交いステーで連結され、この筋交いステーを介して脚が折畳み可能に形成されている。この従来品は、これにより、使用時は、脚を起立でき、不使用時は、脚を筋交いステーの横軸を中心にほぼ９０度内方に回してテーブル板の下側に脚を配置できるものである。
【０００３】
而して、特許文献１に記載の従来品は、脚を折り畳み、テーブル板の下側にテーブル板に沿わせて配置したとき、筋交いステーのコイルバネの収縮力、復元力だけで脚を保持する構造であった。
【０００４】
従って、従来品は、バネ力の低下や、運搬の際などに加わる振動や揺れなどの不用意な力により、脚がテーブル板から離れることがあった。
そのため、従来品を使用すると、折畳み時に、脚をしっかりと閉じて置くことができず、運搬や保管を整然とできない、という問題点があった。
【先行技術文献】
【特許文献】
【０００５】
【特許文献１】特許第２７６９７８２号公報
【考案の概要】
【考案が解決しようとする課題】
【０００６】
本考案は、このような従来品の問題点に鑑み、提案されたものである。
従って、本考案の解決しようとする技術的課題は、テーブル板を支持する脚が折畳み可能に形成されている折畳みテーブルにおいて、折畳まれた脚が不用意にテーブル板から離れることがないよう、しっかりと確実に折畳み姿勢を保持できるよう形成した折畳みテーブルを提供することにある。
【課題を解決するための手段】
【０００７】
本考案は、上記の課題を解決するため、次のような技術的手段を採る。
即ち、本考案は、図１等に示されるように、テーブル板１を支持する脚２が、折畳み可能に形成されている折畳みテーブルであって、折畳まれた脚２がテーブル板１の下側から離れるのを防止するための永久磁石部材３を備え、この永久磁石部材３で脚２がテーブル板１の下側に吸着可能に形成されていることを特徴とする（請求項１）。
【０００８】
本考案の場合、テーブル板１の形状や材質は任意である。即ち、テーブル板１は、例えば長方形等の四角形でも、或いは円形、楕円形等の丸形にデザインされているのでも良い。また脚２の形状や個数、或いは長さや幅も任意である。
【０００９】
而して、本考案のテーブルは、具体的には脚２が、平行一対状の縦棒２ａと、この縦棒２ａの下端を連結する接地用の横棒２ｂとで形成され、テーブル板１の下面に、上記の脚２が枢着される棒状部４が平行一対状に設けられ、この棒状部４と脚２の枢着箇所５から離れた棒状部４の位置に永久磁石部材３が設けられ、脚２が折畳まれたときに、この永久磁石部材３と対応する脚２の位置に磁性体片６が設けられているのが好ましい（請求項２）。
【００１０】
なぜならこれによると、永久磁石部材３と磁性体片６との協働作用で脚２をテーブル板１に簡単、確実に、また低コストで吸着できるからである。この場合、永久磁石部材３と磁性体片６との組み合わせは、通常、各脚２ごと一組で良いが、脚２の重さや長さ等によっては、各脚２ごと、例えば二箇所で吸着可能に形成されているのでも良い。永久磁石部材３と磁性体片６の大きさ、形状、厚み等は適宜選定されるので良い。また棒状部４や脚２は、製造コスト、加工コストの低減化、強度の向上等を図れるよう、通常、軽金属製の角パイプで形成されるが、これに限定されるものではない。
【００１１】
また本考案のテーブルは、棒状部４と脚２の枢着箇所から離れた棒状部４の位置に永久磁石部材３が設けられ、脚２が折畳まれたときに、この永久磁石部材３と対応する脚２の位置に磁性体片６が設けられているのに代え、棒状部４と脚２の枢着箇所から離れた棒状部４の位置に磁性体片６が設けられ、脚２が折畳まれたときに、この磁性体片６と対応する脚２の位置に永久磁石部材３が設けられているのでも良い（請求項３）。
【００１２】
なぜなら永久磁石部材３と磁性体片６の取付位置を違えても、本考案の課題を実現できるからである。
【考案の効果】
【００１３】
本考案は、このようにテーブル板を支持する脚が、テーブル板の下側に折畳み可能に形成されている折畳みテーブルであって、折畳まれた脚がテーブル板から離れるのを防止するための永久磁石部材を備え、この永久磁石部材で脚がテーブル板に吸着可能に形成されているものである。
【００１４】
従って、本考案の場合は、筋交いステーのバネ力が低下したり、運搬時等に、振動や揺れなどの大きな力が脚に加わっても、脚がテーブル板から離れることを防止できる。
それ故、これによれば、脚をしっかりと閉じることができ、整然と保管、運搬できる、という実用上優れた利点がある。
【図面の簡単な説明】
【００１５】
【図１】本考案のテーブルの好適な一実施形態を示す斜視図である。
【図２】同上テーブルの作用を説明するための要部拡大正面図である。
【図３】図２のＩＩＩ−ＩＩＩ線における断面図である。
【図４】同上テーブルの脚折畳み時の一部を切欠した底面図である。
【考案を実施するための形態】
【００１６】
以下、本考案を実施するための好適な一実施形態を、添付図面に従って説明する。
本考案は、テーブル板１を支持する脚２が、折畳み可能に形成されている折畳みテーブルである。
【００１７】
本考案のテーブルは、図１等に示されるように、折畳まれた脚２がテーブル板１の下側から離れるのを防止するための永久磁石部材３を備え、この永久磁石部材３で脚２がテーブル板１の下側に吸着可能に形成されている。
【００１８】
テーブル板１は、この実施形態では長方形に形成されている。また脚２は、平行一対状の縦棒２ａと、この縦棒２ａの下端を連結する接地用の横棒２ｂとで形成されている。
なお、２ｃは、左右の縦棒２ａを連結する連結板である。
【００１９】
テーブル板１の下面には、脚２が枢着される棒状部４が平行一対状に設けられている。この棒状部４は、この実施形態では脚２と同様に軽金属製の角パイプで形成され、テーブル板１の下面に、テーブル板１の長手方向に沿って固定されている。棒状部４は、一定の間隔をあけて複数の横桟４ａで連結されている。
【００２０】
また上記の永久磁石部材３は、この実施形態では棒状部４の所定位置に設けられている。具体的には、棒状部４と脚２の枢着箇所５から離された棒状部４の位置である。また折畳まれたとき、永久磁石部材３と対応する脚２の位置に、磁性体片６としての金属板片が設けられている。
【００２１】
磁性体片６としての金属板片は、左右一方の縦棒２ａの下端の内面に固定されている。永久磁石部材３は、この金属板片と対応するよう棒状部４に設けられているものである。
【００２２】
従って、図１において、右側の脚２の場合は、手前側の棒状部４に、左側の脚２の場合は、奥側の棒状部４の所定位置に設けられている。また永久磁石部材３と磁性体片６としての金属板片は、図２に示されるように、脚２を折畳んだとき、縦棒２ａがテーブル板１と平行状に配置されるよう、厚みが選定されている。
【００２３】
脚２の折畳みは、連結板２ｃの中央と、横桟４ａとの間に渡されている筋交いステー７で実現されている。この筋交いステー７は、横軸７ａを中心に回動可能に連結されている一対の溝形金属材７ｂと、この溝形金属材７ｂ同士を常時引き寄せているコイルバネ７ｃと、溝形金属材７ｂを操作するための操作バー７ｄとを備えて形成されている。
【００２４】
一対の溝形金属材７ｂは、長手方向に沿って横軸７ａで連結されている。コイルバネ７ｃは、溝形金属材７ｂの溝内にその長手方向に沿って設けられている。また操作バー７ｄは、この実施形態では溝形金属材７ｂの両側から側方に突き出されて設けられている。
【００２５】
次に、この実施形態の本考案品の使用例を説明する。
【００２６】
使用者は、図１、図２等に示される起立状態から、操作バー７ｄを外側に引く。すると、コイルバネ７ｃ（図３参照）の復元力で溝形金属材７ｂが横軸７ａを中心に内方に回動し、これにより脚２が内側に折畳まれる。
【００２７】
脚２がテーブル板１の下側に折畳まれると、磁性体片６としての金属板片が永久磁石部材３に吸着される。これにより、脚２は、棒状部４を介してテーブル板１の下側にしっかりと固定される。
【００２８】
従って、本考案品の場合は、筋交いステー７のコイルバネ７ｃのバネ力が低下したり、運搬時等に振動や揺れが起きても、脚２がテーブル板１から不用意に離れることがない。それ故、本考案によれば、脚２がしっかりと閉じられ、整然と保管、運搬できる。
【００２９】
以上の処において、永久磁石部材３と磁性体片６としての金属板片は、上例と逆に設けられているのでも良い。即ち、本考案は、棒状部４に永久磁石部材３が設けられ、脚２に磁性体片６が設けられるのに代え、棒状部４の所定位置に磁性体片６が設けられ、脚２の所定位置に永久磁石部材３が設けられているのでも良い。
【００３０】
また本考案は、棒状部４それ自体が磁性体の金属材で形成され、脚２の所定位置に永久磁石部材３が設けられたり、逆に脚２自体が磁性体の金属材で形成され、棒状部４の所定位置に永久磁石部材３が設けられて実現されるのでも良い。これらの場合も、本考案の課題を達成できるからである。
【符号の説明】
【００３１】
１      テーブル板
２      脚
３      永久磁石部材
４      棒状部
５      棒状部と脚の枢着箇所
６      磁性体片
７      筋交いステー
【図１】
0003221801.tif 000003
【図２】
0003221801.tif 000004
【図３】
0003221801.tif 000005
【図４】
0003221801.tif 000006